【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
用紙上に調整用パターンを形成する画像形成部と、
用紙の搬送経路上に配置され、前記調整用パターンを読み取って、第１色値を出力する第１読取部、及び、前記第１色値とは異なる第２色値を出力する第２読取部と、
を備え、
前記第１読取部は、用紙幅方向における一部の領域のみを読み取り可能であり、
前記第２読取部は、用紙幅方向において少なくとも前記一部の領域以外の領域を読み取り可能であり、
前記調整用パターンは、前記第１読取部により読み取り可能なパッチが配置された第１パッチ領域と、前記第２読取部により読み取り可能であって、前記第１読取部では読み取りできないパッチが配置された第２パッチ領域と、を有し、
前記第２パッチ領域には、少なくとも、前記第１パッチ領域に含まれるパッチと同一色のパッチである共通色パッチが含まれ、
前記第２読取部により出力された前記第２パッチ領域の各パッチの第２色値を第１色値に変換した推定第１色値を取得し、
前記第１読取部により出力された前記第１パッチ領域の各パッチの第１色値と、当該第１パッチ領域の各パッチに対応する前記第２パッチ領域の前記共通色パッチから得られた推定第１色値と、を比較し、前記共通色パッチ毎に前記推定第１色値の修正値を求め、
前記共通色パッチ毎の前記推定第１色値の修正値に基づいて、前記第２パッチ領域の前記共通色パッチ以外のパッチから得られた推定第１色値を修正する制御部を備える画像形成装置。
【請求項２】
前記第１パッチ領域のパッチは、前記第２パッチ領域のパッチよりも大きい請求項１に記載の画像形成装置。
【請求項３】
前記第２パッチ領域には、前記共通色パッチについて同一色のパッチが複数含まれ、
前記制御部は、前記第２パッチ領域の同一色の前記共通色パッチから得られた推定第１色値の平均値に基づいて、当該共通色パッチに対応する推定第１色値の修正値を求める請求項１又は２に記載の画像形成装置。
【請求項４】
前記制御部は、前記第２パッチ領域の前記共通色パッチと当該共通色パッチに近い色のパッチから得られた推定第１色値について平滑化処理を行うことにより、当該共通色パッチに対応する推定第１色値を決定し、当該平滑化処理後の推定第１色値に基づいて、当該共通色パッチに対応する推定第１色値の修正値を求める請求項１又は２に記載の画像形成装置。
【請求項５】
前記画像形成部における濃度ムラを補正する濃度ムラ補正部を備え、
前記画像形成部は、前記調整用パターンを形成する際に、前記濃度ムラ補正部を適用する請求項１から４のいずれか一項に記載の画像形成装置。
【請求項６】
前記修正された推定第１色値に基づいて色補正パラメーターを算出し、当該色補正パラメーターに基づいて前記画像形成部により形成される画像の色を補正する色補正部を備える請求項１から５のいずれか一項に記載の画像形成装置。
【請求項７】
前記第２パッチ領域において、前記共通色パッチの周囲のパッチのうち少なくとも一つは、当該共通色パッチと異なる色のパッチである請求項１から６のいずれか一項に記載の画像形成装置。
【請求項８】
前記第１読取部は、測色計であり、
前記第２読取部は、ラインセンサーである請求項１から７のいずれか一項に記載の画像形成装置。
【請求項９】
前記第１色値は、Ｌａｂ値、ＸＹＺ値又は濃度値であり、
前記第２色値は、ＲＧＢ値である請求項１から８のいずれか一項に記載の画像形成装置。
【請求項１０】
用紙上に調整用パターンを形成する画像形成部と、用紙の搬送経路上に配置され、前記調整用パターンを読み取って、第１色値を出力する第１読取部、及び、前記第１色値とは異なる第２色値を出力する第２読取部と、を備える画像形成装置から得られたデータを処理するコンピューターを制御するためのプログラムであって、
前記第１読取部は、用紙幅方向における一部の領域のみを読み取り可能であり、
前記第２読取部は、用紙幅方向において少なくとも前記一部の領域以外の領域を読み取り可能であり、
前記調整用パターンは、前記第１読取部により読み取り可能なパッチが配置された第１パッチ領域と、前記第２読取部により読み取り可能であって、前記第１読取部では読み取りできないパッチが配置された第２パッチ領域と、を有し、
前記第２パッチ領域には、少なくとも、前記第１パッチ領域に含まれるパッチと同一色のパッチである共通色パッチが含まれ、
前記コンピューターに、
前記第１読取部により出力された前記第１パッチ領域の各パッチの第１色値を取得する工程と、
前記第２読取部により出力された前記第２パッチ領域の各パッチの第２色値を取得する工程と、
前記第２パッチ領域の各パッチの第２色値を第１色値に変換した推定第１色値を取得する工程と、
前記第１パッチ領域の各パッチの第１色値と、当該第１パッチ領域の各パッチに対応する前記第２パッチ領域の前記共通色パッチから得られた推定第１色値と、を比較し、前記共通色パッチ毎に前記推定第１色値の修正値を求める工程と、
前記共通色パッチ毎の前記推定第１色値の修正値に基づいて、前記第２パッチ領域の前記共通色パッチ以外のパッチから得られた推定第１色値を修正する工程と、
を実行させるためのプログラム。
【請求項１１】
画像データに基づいて用紙上に画像を形成する画像形成部と、
前記画像形成部により画像形成された用紙の搬送経路上に配置され、搬送される用紙の幅方向における一部の領域のみを読み取って第１色値を出力する第１読取部、及び、搬送される用紙の幅方向において少なくとも前記一部の領域以外の領域を読み取って前記第１色値とは異なる第２色値を出力する第２読取部と、
調整用パターンの画像データに基づいて前記画像形成部によって用紙上に画像形成し、その用紙上に形成された調整用パターンの同一色のパッチを前記第１読取部と前記第２読取部で読み取って出力される前記第１色値及び前記第２色値に基づいて、前記第２読取部で読み取って出力される第２色値を第１色値に変換するためのスキャナープロファイルを作成する制御部と、
を備えた画像形成装置における前記スキャナープロファイルの作成に用いられる前記調整用パターンの画像データが記憶された記憶媒体において、
前記調整用パターンは、前記第１読取部により読み取り可能なパッチが配置された第１パッチ領域と、前記第２読取部により読み取り可能であって、前記第１読取部では読み取りできないパッチが配置された第２パッチ領域と、を有し、
前記第２パッチ領域には、少なくとも、前記第１パッチ領域に含まれるパッチと同一色のパッチである共通色パッチが含まれる記憶媒体。
【請求項１２】
前記第２パッチ領域には、前記共通色パッチについて同一色のパッチが複数含まれる請求項１１に記載の記憶媒体。
【請求項１３】
前記画像形成装置の前記第２読取部が、前記第１読取部で読み取られる前記一部の領域の用紙幅方向における両側の領域を読み取るように構成されており、
前記第２パッチ領域は、前記第１パッチ領域の用紙幅方向における両側に配置され、当該第１パッチ領域の両側それぞれに前記共通色パッチについて同一色のパッチが含まれる請求項１２に記載の記憶媒体。
【手続補正２】
【補正対象書類名】明細書
【補正対象項目名】発明の名称
【補正方法】変更
【補正の内容】
【発明の名称】画像形成装置、プログラム及び記憶媒体
【手続補正３】
【補正対象書類名】明細書
【補正対象項目名】０００１
【補正方法】変更
【補正の内容】
【０００１】
本発明は、画像形成装置、プログラム及び記憶媒体に関する。
【手続補正４】
【補正対象書類名】明細書
【補正対象項目名】０００９
【補正方法】変更
【補正の内容】
【０００９】
上記課題を解決するために、請求項１に記載の発明は、用紙上に調整用パターンを形成する画像形成部と、用紙の搬送経路上に配置され、前記調整用パターンを読み取って、第１色値を出力する第１読取部、及び、前記第１色値とは異なる第２色値を出力する第２読取部と、を備え、前記第１読取部は、用紙幅方向における一部の領域のみを読み取り可能であり、前記第２読取部は、用紙幅方向において少なくとも前記一部の領域以外の領域を読み取り可能であり、前記調整用パターンは、前記第１読取部により読み取り可能なパッチが配置された第１パッチ領域と、前記第２読取部により読み取り可能であって、前記第１読取部では読み取りできないパッチが配置された第２パッチ領域と、を有し、前記第２パッチ領域には、少なくとも、前記第１パッチ領域に含まれるパッチと同一色のパッチである共通色パッチが含まれ、前記第２読取部により出力された前記第２パッチ領域の各パッチの第２色値を第１色値に変換した推定第１色値を取得し、前記第１読取部により出力された前記第１パッチ領域の各パッチの第１色値と、当該第１パッチ領域の各パッチに対応する前記第２パッチ領域の前記共通色パッチから得られた推定第１色値と、を比較し、前記共通色パッチ毎に前記推定第１色値の修正値を求め、前記共通色パッチ毎の前記推定第１色値の修正値に基づいて、前記第２パッチ領域の前記共通色パッチ以外のパッチから得られた推定第１色値を修正する制御部を備える画像形成装置である。
【手続補正５】
【補正対象書類名】明細書
【補正対象項目名】００１１
【補正方法】変更
【補正の内容】
【００１１】
請求項３に記載の発明は、請求項１又は２に記載の画像形成装置において、前記第２パッチ領域には、前記共通色パッチについて同一色のパッチが複数含まれ、前記制御部は、前記第２パッチ領域の同一色の前記共通色パッチから得られた推定第１色値の平均値に基づいて、当該共通色パッチに対応する推定第１色値の修正値を求める。
【手続補正６】
【補正対象書類名】明細書
【補正対象項目名】００１８
【補正方法】変更
【補正の内容】
【００１８】
請求項１０に記載の発明は、用紙上に調整用パターンを形成する画像形成部と、用紙の搬送経路上に配置され、前記調整用パターンを読み取って、第１色値を出力する第１読取部、及び、前記第１色値とは異なる第２色値を出力する第２読取部と、を備える画像形成装置から得られたデータを処理するコンピューターを制御するためのプログラムであって、前記第１読取部は、用紙幅方向における一部の領域のみを読み取り可能であり、前記第２読取部は、用紙幅方向において少なくとも前記一部の領域以外の領域を読み取り可能であり、前記調整用パターンは、前記第１読取部により読み取り可能なパッチが配置された第１パッチ領域と、前記第２読取部により読み取り可能であって、前記第１読取部では読み取りできないパッチが配置された第２パッチ領域と、を有し、前記第２パッチ領域には、少なくとも、前記第１パッチ領域に含まれるパッチと同一色のパッチである共通色パッチが含まれ、前記コンピューターに、前記第１読取部により出力された前記第１パッチ領域の各パッチの第１色値を取得する工程と、前記第２読取部により出力された前記第２パッチ領域の各パッチの第２色値を取得する工程と、前記第２パッチ領域の各パッチの第２色値を第１色値に変換した推定第１色値を取得する工程と、前記第１パッチ領域の各パッチの第１色値と、当該第１パッチ領域の各パッチに対応する前記第２パッチ領域の前記共通色パッチから得られた推定第１色値と、を比較し、前記共通色パッチ毎に前記推定第１色値の修正値を求める工程と、前記共通色パッチ毎の前記推定第１色値の修正値に基づいて、前記第２パッチ領域の前記共通色パッチ以外のパッチから得られた推定第１色値を修正する工程と、を実行させるためのプログラムである。
請求項１１に記載の発明は、画像データに基づいて用紙上に画像を形成する画像形成部と、前記画像形成部により画像形成された用紙の搬送経路上に配置され、搬送される用紙の幅方向における一部の領域のみを読み取って第１色値を出力する第１読取部、及び、搬送される用紙の幅方向において少なくとも前記一部の領域以外の領域を読み取って前記第１色値とは異なる第２色値を出力する第２読取部と、調整用パターンの画像データに基づいて前記画像形成部によって用紙上に画像形成し、その用紙上に形成された調整用パターンの同一色のパッチを前記第１読取部と前記第２読取部で読み取って出力される前記第１色値及び前記第２色値に基づいて、前記第２読取部で読み取って出力される第２色値を第１色値に変換するためのスキャナープロファイルを作成する制御部と、を備えた画像形成装置における前記スキャナープロファイルの作成に用いられる前記調整用パターンの画像データが記憶された記憶媒体において、前記調整用パターンは、前記第１読取部により読み取り可能なパッチが配置された第１パッチ領域と、前記第２読取部により読み取り可能であって、前記第１読取部では読み取りできないパッチが配置された第２パッチ領域と、を有し、前記第２パッチ領域には、少なくとも、前記第１パッチ領域に含まれるパッチと同一色のパッチである共通色パッチが含まれる。
請求項１２に記載の発明は、請求項１１に記載の記憶媒体において、前記第２パッチ領域には、前記共通色パッチについて同一色のパッチが複数含まれる。
請求項１３に記載の発明は、請求項１２に記載の記憶媒体において、前記画像形成装置の前記第２読取部が、前記第１読取部で読み取られる前記一部の領域の用紙幅方向における両側の領域を読み取るように構成されており、前記第２パッチ領域は、前記第１パッチ領域の用紙幅方向における両側に配置され、当該第１パッチ領域の両側それぞれに前記共通色パッチについて同一色のパッチが含まれる。